(57)【特許請求の範囲】
【請求項１】
自動販売機の前面に複数の商品ダミー体を収容する展示室を備え、前記各商品ダミー体に対し光により生成された電力を給電する太陽電池を用いた自動販売機の展示室構造であって、
前記太陽電池としては、表面に対し直接的又は間接的に加飾が施されたシート状の有機系太陽電池が適用され、
前記有機系太陽電池は、前記展示室の背面パネルに取り付けられ、前記有機系太陽電池で生成した電力を蓄電する有機系太陽電池用蓄電部と、この有機系太陽電池用蓄電部で蓄電した電力を前記有機系太陽電池の外部に給電する有機系太陽電池用外部端子とを備えており、
前記各商品ダミー体の少なくとも一部には、電力により作動する作動手段が設けられ、
前記作動手段は、前記有機系太陽電池用外部端子に対し配線を介して接続されていることを特徴とする太陽電池を用いた自動販売機の展示室構造。
【請求項２】
前記有機系太陽電池と前記展示室の背面パネルとの間には、シート状の主発光体が介設され、この主発光体が前記有機系太陽電池用外部端子に対し配線を介して接続されている請求項１に記載の太陽電池を用いた自動販売機の展示室構造。
【請求項３】
前記作動手段としては、電力により発光するシート状の副発光体が適用されており、
前記各商品ダミー体は、表面に対しそれぞれ直接的又は間接的に加飾が施された透光性を有するダミー外殻を備え、このダミー外殻の裏側には前記副発光体が設けられている請求項１又は請求項２に記載の太陽電池を用いた自動販売機の展示室構造。
【請求項４】
前記作動手段は、前記各商品ダミー体のうちの少なくとも１つの商品ダミー体の少なくとも一部分を電力により駆動させる駆動部を備えている請求項１〜請求項３のいずれか１つに記載の太陽電池を用いた自動販売機の展示室構造。
【請求項５】
前記各商品ダミー体は、
シート状に形成された前記ダミー外殻と、このダミー外殻の裏面に取り付けられた前記副発光体と、により一体的な積層体状に構成されたダミー本体を備えているとともに、
前記ダミー本体を脱着自在に保持し、かつ前記展示室の展示台に脱着自在に装着される装着部を有する保持枠を備えている請求項３に記載の太陽電池を用いた自動販売機の展示室構造。
【請求項６】
前記有機系太陽電池は、シート状に形成された前記ダミー外殻の裏面にも取り付けられており、
前記各商品ダミー体は、
前記ダミー外殻及び前記有機系太陽電池と、このダミー外殻裏面の有機系太陽電池の裏面に取り付けられた前記副発光体と、により一体的な積層体状に構成されたダミー本体を備えているとともに、
前記ダミー本体を脱着自在に保持し、かつ前記展示室の展示台に脱着自在に装着される装着部を有する保持枠を備えている請求項３に記載の太陽電池を用いた自動販売機の展示室構造。
【請求項７】
前記太陽電池としては、前記自動販売機の天面又は側面に設けられたシリコン系太陽電池も適用されており、
前記シリコン系太陽電池には、当該シリコン系太陽電池により生成された電力を蓄電するシリコン系太陽電池用蓄電部が設けられているとともに、前記シリコン系太陽電池用蓄電部には、当該蓄電部で蓄電した電力を前記シリコン系太陽電池の外部に給電するシリコン系太陽電池用外部端子が設けられていて、
前記シリコン系太陽電池用外部端子が前記作動手段に配線を介して接続されている請求項１〜請求項６のいずれか１つに記載の太陽電池を用いた自動販売機の展示室構造。
【請求項８】
前記有機系太陽電池としては、色素増感太陽電池又は有機薄膜太陽電池が適用されている請求項１〜請求項７のいずれか１つに記載の太陽電池を用いた自動販売機の展示室構造。
【発明の詳細な説明】
【技術分野】
【０００１】
本発明は、太陽電池を用いた自動販売機の展示室構造に関し、特に、有機系太陽電池を用いたものに関わる。
【背景技術】
【０００２】
従来より、複数の商品ダミー体を収容する展示室が前面に設けられた自動販売機の天面に太陽電池を設置し、太陽電池において昼間の太陽光により生成した電力をバッテリなどの蓄電部に蓄電する。そして、蓄電部に蓄電した電力を夜間などに展示室に対し給電し、当該展示室を照らす発光体の電力に利用することで、自動販売機の省電力化を図るようにしたものが知られている（例えば、特許文献１参照）。この太陽電池としては、多結晶シリコン素子を多数板状に成形したパネルを有する所謂シリコン系太陽電池が適用されている。
【０００３】
一方、近来より、光吸収層（光電変換層）に有機化合物を用いた有機系太陽電池も開発されており、この有機系太陽電池は、生産コストが低くできる上、着色性や柔軟性などを持たせられるなどの利点を有している。
【先行技術文献】
【特許文献】
【０００４】
【特許文献１】特開２０１１−１８６８８２号公報
【発明の概要】
【発明が解決しようとする課題】
【０００５】
ところで、前記シリコン系太陽電池は、建物などの天面に設置して使用され、十分な耐久性を備えているものの、前記有機系太陽電池の場合には、その構造上、屋外環境などで使用する際に耐久性に課題がある。
【０００６】
その場合、自動販売機にあっては、それ自体が屋外環境に設置されてはいるものの、展示室は前面が透明板で覆われた屋内環境に近い環境であるため、有機系太陽電池の適用可能性が高いものといえる。そのため、有機系太陽電池の利点、つまり生産コストが低くかつ着色性や柔軟性などの利点を有効に利用することで、有機系太陽電池による自動販売機の省電力化や広告の多様化が切望されている。
【０００７】
本発明は、かかる点に鑑みてなされたものであり、その目的とするところは、有機系太陽電池の利点を有効に利用して自動販売機の省電力化及び広告の多様化を図ることができる太陽電池を用いた自動販売機の展示室構造を提供することにある。
【課題を解決するための手段】
【０００８】
前記目的を達成するため、本発明では、自動販売機の前面に複数の商品ダミー体を収容する展示室を備え、前記各商品ダミー体に対し光により生成された電力を給電する太陽電池を用いた自動販売機の展示室構造を前提とする。そして、前記太陽電池として、表面に対し直接的又は間接的に加飾が施されたシート状の有機系太陽電池を適用し、前記有機系太陽電池を、前記展示室の背面パネルに取り付ける。更に、前記有機系太陽電池に、当該有機系太陽電池で生成した電力を蓄電する有機系太陽電池用蓄電部と、この有機系太陽電池用蓄電部で蓄電した電力を前記有機系太陽電池の外部に給電する有機系太陽電池用外部端子とを設ける。加えて、前記各商品ダミー体の少なくとも一つに、電力により作動する作動手段を設け、前記作動手段を、前記有機系太陽電池用外部端子に対し配線を介して接続することを特徴としている。
【０００９】
また、前記有機系太陽電池と前記展示室の背面パネルとの間に、シート状の主発光体を介設し、この主発光体を前記有機系太陽電池用外部端子に対し配線を介して接続していてもよい。
【００１０】
また、前記作動手段として、電力により発光するシート状の副発光体を適用する。そして、前記各商品ダミー体に、表面に対しそれぞれ直接的又は間接的に加飾が施された透光性を有するダミー外殻を備え、このダミー外殻の裏側に前記副発光体を設けていてもよい。
【００１１】
また、前記作動手段に、前記各商品ダミー体のうちの少なくとも１つの商品ダミー体の少なくとも一部分を電力により駆動させる駆動部を備えていてもよい。
【００１２】
また、前記各商品ダミー体に、シート状に形成された前記ダミー外殻と、このダミー外殻の裏面に取り付けられた前記副発光体と、により一体的な積層体状に構成されたダミー本体を備えるとともに、前記ダミー本体を脱着自在に保持し、かつ前記展示室の展示台に脱着自在に装着される装着部を有する保持枠を備えていてもよい。
【００１３】
これに対し、前記有機系太陽電池を、シート状に形成された前記ダミー外殻の裏面にも取り付ける。そして、前記各商品ダミー体に、前記ダミー外殻及び前記有機系太陽電池と、このダミー外殻裏面の有機系太陽電池の裏面に取り付けられた前記副発光体と、により一体的な積層体状に構成されたダミー本体を備えるとともに、前記ダミー本体を脱着自在に保持し、かつ前記展示室の展示台に脱着自在に装着される装着部を有する保持枠を備えていてもよい。
【００１４】
また、前記太陽電池として、前記自動販売機の天面又は側面に設けられたシリコン系太陽電池も適用する。そして、前記シリコン系太陽電池に、当該シリコン系太陽電池により生成された電力を蓄電するシリコン系太陽電池用蓄電部を設けるとともに、前記シリコン系太陽電池用蓄電部に、当該蓄電部で蓄電した電力を前記シリコン系太陽電池の外部に給電するシリコン系太陽電池用外部端子を設けて、前記シリコン系太陽電池用外部端子を前記作動手段に配線を介して接続していてもよい。
【００１５】
更に、前記有機系太陽電池として、色素増感太陽電池又は有機薄膜太陽電池を適用していてもよい。
【発明の効果】
【００１６】
以上、要するに、表面に対し直接的又は間接的に加飾が施されたシート状の有機系太陽電池を展示室の背面パネルに取り付け、この有機系太陽電池で生成した電力を蓄電する有機系太陽電池用蓄電部の有機系太陽電池用外部端子に対し、各商品ダミー体の少なくとも一つに設けた作動手段を配線を介して接続することで、展示室内の各商品ダミー体の作動手段を有機系太陽電池の電力により作動させることができ、有機系太陽電池の利点を有効に利用して自動販売機の省電力化及び広告の多様化を図ることができる。
【００１７】
また、有機系太陽電池と展示室の背面パネルとの間に介設したシート状の主発光体を有機系太陽電池用外部端子に対し配線を介して接続することで、表面に加飾された有機系太陽電池を主発光体により発光させて、展示室を効果的に目立たせることができる。
【００１８】
また、表面に加飾が施された透光性を有するダミー外殻を商品ダミー体に備え、そのダミー外殻の裏側で発光する副発光体を作動手段として適用することで、光で生成した電力により副発光体をダミー外殻の裏側で発光させて各商品ダミー体を光の透過により鮮やかに表現することができる。
【００１９】
また、各商品ダミー体のうちの少なくとも１つの商品ダミー体の少なくとも一部分を電力により駆動させる駆動部を作動手段に備えることで、作動手段に給電される有機系太陽電池からの電力により駆動する駆動部によって、少なくとも１つの商品ダミー体の少なくとも一部分を駆動させることができる。
【００２０】
また、ダミー外殻と副発光体とで一体的な積層体状に構成したダミー本体を、保持枠に脱着自在に保持し、その保持枠の装着部により展示室の展示台に脱着自在に装着することで、積層体状のダミー本体を保持枠に脱着自在に保持してダミー本体の交換を容易に行うことができるとともに、ダミー本体を保持した保持枠を装着部によって展示室の展示台に簡単に装着することができる。
【００２１】
これに対し、ダミー外殻と有機系太陽電池と副発光体とで一体的な積層体状に構成したダミー本体を、保持枠に脱着自在に保持し、その保持枠の装着部により展示室の展示台に脱着自在に装着することで、積層体状のダミー本体を保持枠に脱着自在に保持してダミー本体の交換を容易に行うことができるとともに、ダミー本体を保持した保持枠を装着部によって展示室の展示台に簡単に装着することができる。
【００２２】
また、自動販売機の天面又は側面に設けたシリコン系太陽電池のシリコン系太陽電池用蓄電部のシリコン系太陽電池用外部端子を作動手段に配線を介して接続することで、有機系太陽電池用蓄電部からの電力が不足するといった事態に陥ったとしても、シリコン系太陽電池用蓄電部で蓄電した電力を作動手段に給電して当該作動手段を作動させることもできる。
【００２３】
更に、有機系太陽電池として色素増感太陽電池又は有機薄膜太陽電池を適用することで、有機系太陽電池の利点を有効に利用することができる。
【図面の簡単な説明】
【００２４】
【図１】本発明の実施の形態に係る展示室構造を適用する太陽電池を用いた飲料用自動販売機の正面図である。
【図２】図１の飲料用自動販売機の展示室に収容されるダミー小缶の側面図である。
【図３】図２のダミー小缶の横断面図である。
【図４】図１の飲料用自動販売機の展示室に収容される第１ダミー小ペットボトル付近での色素増感太陽電池の縦断側面図である。
【図５】図１の飲料用自動販売機の展示室に収容される第１ダミー大ペットボトルの正面図である。
【図６】図５のＡ−Ａ線における断面図である。
【図７】図１の飲料用自動販売機の展示室に収容される第２ダミー大ペットボトルを取り付ける直前の上段のディスプレイ台の開口孔付近の斜視図である。
【図８】図７の第２ダミー大ペットボトルを取り付ける途中の斜視図である。
【図９】図１の飲料用自動販売機の展示室に収容される第３ダミー大ペットボトルの正面図である。
【図１０】図９の第３ダミー大ペットボトルが取り付けられる上段のディスプレイ台の開口孔付近の平面図である。
【図１１】本実施の形態の変形例に係る展示室構造を適用する太陽電池を用いた飲料用自動販売機の正面図である。
【図１２】図１１の第２ダミー小ペットボトル付近での色素増感太陽電池の縦断側面図である。
【図１３】本実施の形態のその他の変形例に係る展示室構造を適用する太陽電池を用いたタバコ用自動販売機の正面図である。
【図１４】本実施の形態のその他の変形例に係る積層体状のダミー本体を支持台により装着する状態を示す展示室のディスプレイ台付近の縦断側面図である。
【図１５】図１４のダミー本体とは異なる積層体状のダミー本体を支持台により装着する状態を示す展示室のディスプレイ台付近の縦断側面図である。
【図１６】図１４及び図１５の積層体状のダミー本体を交換する状態を示す展示室のディスプレイ台付近の斜視図である。
【図１７】本実施の形態のその他の変形例に係るダミーペットボトル本体を基台により装着する状態を示す展示室のディスプレイ台付近の縦断側面図である。
【図１８】図１７のダミーペットボトル本体の下端部及び基台を側方から見た側面図である。
【図１９】図１７のダミーペットボトル本体の上部を前方から見た正面図である。
【発明を実施するための形態】
【００２５】
以下、本発明の実施の形態を添付した図面により詳細に説明する。
【００２６】
先ず、図１は本発明の実施の形態に係る展示室構造を適用する太陽電池を用いた飲料用自動販売機の正面図、図２は展示室に収容されるダミー小缶の側面図、図３はダミー小缶の横断面図をそれぞれ示している。
【００２７】
図１において符号１で示す飲料用自動販売機（自動販売機）は、一般的な缶飲料やペットボトルなどの商品を販売するものである。この飲料用自動販売機１の本体キャビネット１１には、断熱材で囲まれた庫内に缶飲料やペットボトルなどを格納している。また、本体キャビネット１１の前面には、図示しないヒンジにより開閉自在な外扉１３が装着されている。この外扉１３の前面上部域には、展示室１４が画成されている。この展示室１４には、商品ダミー体２としての５本の小さいダミー小缶２１ａ及び２本の大きいダミー大缶２２ａ、商品ダミー体３としての５本の大きい第１〜第３ダミー大ペットボトル３１ａ〜３１ｃ及び５本の小さい第１，第２ダミー小ペットボトル３２ａ，３２ｂ、商品ダミー体４としての３つのダミーボトル４１ａ、並びに商品ダミー体５としての１０本のダミー極小缶５１ａが陳列して展示されている。このように展示室１４に収容される各種商品ダミー体２〜５は、本体キャビネット１１の庫内に格納した缶飲料、ボトル飲料、及びペットボトル飲料にそれぞれ対応している。
【００２８】
また、外扉１３の前面中部域の一側（図１では左側）には、広告情報を表示する広告表示部８が設けられている。一方、外扉１３の前面中部域の他側（図１では右側）には、紙幣投入口１５、硬貨投入口１６、及びシリンダー錠付きのハンドル１７が設けられている。ハンドル１７は、外扉１３のヒンジとは反対側に位置し、シリンダー錠の開錠状態での操作により外扉１３を開放させるようにしている。更に、外扉１３の前面下部域には、商品取出口１８、及び釣銭返却口１９が設けられている。なお、外扉１３の背面には、図示しない通貨関連の硬貨制御装置、紙幣鑑別装置、硬貨回収ボックス、並びに商品選択ボタンと庫内のコラムとの割付や商品価格などの各種設定を行うリモコンボックスなどが配備されている。
【００２９】
展示室１４は、その前面を覆うように外扉１３に設けられた透明板１３１（図１では二点鎖線で示す）と外扉１３の背面に設けられた背面板としての中扉１３２との間に画成されている。中扉１３２には、上段、中段及び下段のディスプレイ台１３３ａ〜１３３ｃが設けられ、この各ディスプレイ台１３３ａ〜１３３ｃに各種商品ダミー体２〜５がそれぞれ着脱自在に取り付けられている。また、透明板１３１には、各種商品ダミー体２〜５に対応して設けられた商品選択ボタン１０１，１０１，…を備えた商品選択ボタンユニット１０が配設されている。
【００３０】
また、図２及び図３に示すように、大小の商品ダミー体２のうちのダミー小缶２１ａ（同一構成となるので、大きいダミー大缶２２ａについてはその詳細な説明は省略する）は、可撓性を有するシート状のダミー缶本体２３（ダミー本体）と、このダミー缶本体２３を保持するダミー缶枠２４とを備えている。そして、ダミー缶枠２４の下端には、下方に突出する略半円筒枠形状の突出部２４２が設けられている。この突出部２４２の周方向２カ所には、半径方向外方へ突出する係合片２４３，２４３が設けられている。一方、上段及び中段のディスプレイ台１３３ａ，１３３ｂには、突出部２４２が嵌挿される開口孔（図示せず）が設けられているとともに、この開口孔に係合片２４３を挿通可能とする切欠（図示せず）が設けられている。そして、ダミー缶枠２４は、突出部２４２及び各係合片２４３を上段及び中段のディスプレイ台１３３ａ，１３３ｂの開口孔及び各切欠に挿通し、商品ダミー体２が正面向きとなる位置まで回転させることで、各係合片２４３が開口孔の周縁に係合して取り付けられる。
【００３１】
ダミー缶本体２３は、例えば、茶、ジュース、コーヒー等の飲料である商品のパッケージと略同じ内容の加飾がスクリーン印刷によって表面に対し直接的に施されている。このダミー缶本体２３は、例えば、ポリカーボネイト（ＰＣ）、ポリエチレンテレフタレート（ＰＥＴ）等またはそれらの再生品など、耐熱性、耐候性に優れた素材からなり、透光性を備えている。また、ダミー缶本体２３は、最も単純安価な平板状となっている。
【００３２】
ダミー缶枠２４は、断面略円形枠状を呈し、合成樹脂材を用いてインジェクション成形されている。このダミー缶枠２４の前面には、ダミー缶本体２３の表面のほぼ全域を外方へ露呈させる開口２４１が設けられている。そして、ダミー缶本体２３は、ダミー缶枠２４の内方に湾曲させた状態で収容され、自身の変形時の復元力によりダミー缶枠２４の開口２４１の周縁に対し嵌合されて保持される。なお、ダミー缶枠２４の材料としては、比較的硬質の合成樹脂（例えば、ポリプロピレン（ＰＰ）等の熱可塑性樹脂又はそれらの再生品）が用いられる。
【００３３】
そして、中扉１３２には、有機系太陽電池としてのシート状の色素増感太陽電池７１が取り付けられている。具体的には、色素増感太陽電池７１は、上段のディスプレイ台１３３ａに取り付けた第１〜第３ダミー大ペットボトル３１ａ〜３１ｃ及び各ダミーボトル４１ａの直上方に対応する中扉１３２の上側対応位置と、中段のディスプレイ台１３３ｂに取り付けたダミー小缶２１ａ及び第１，第２ダミー小ペットボトル３２ａ，３２ｂの直上方と上段のディスプレイ台１３３ａの直下方との間に対応する中扉１３２の中央対応位置とに取り付けられている。
【００３４】
各色素増感型太陽電池７１には、図示しないが、透明導電電極膜を有する作用電極基板と、金属酸化物皮膜を有する対向電極基板とが、それらの基板の導電電極面を内側にした状態で所定間隔を保って配設され、両電極基板間の空隙が、それら電極基板の内側面の周縁部においてシールされ、そのシールされた空隙内に、液状ないしゲル・固体状の電解質が封入されている。
【００３５】
各色素増感型太陽電池７１は、通常、作用電極基板上に、酸化チタン膜等の多孔質半導体膜が形成されており、この多孔質半導体膜に増感色素が吸着している。一方、対向電極基板の導電電極面つまり金属酸化物皮膜側面には、白金や炭素等の極薄膜からなる触媒層が形成されている。これにより、作用電極基板が負極（マイナス）となり、対向電極基板が正極（プラス）となる。
【００３６】
作用電極基板としては、通常、可視光線透過率８０％を超える材料、例えば白板ガラス、ソーダガラス、硼珪酸ガラス等からなる透明な無機質製基板が適用される。また、作用電極基板は、無機質製基板以外にも、プラスチック等の透明な有機質製基板も用いられる。例えば、プラスチックとしては、ＰＥＴ、ポリエチレンナフタレート（ＰＥＮ）、ＰＣ、環状オレフィン等が挙げられる。
【００３７】
そして、一般に、作用電極基板は、導電性を有さないことから、これを支持基板とし、この片面に透明導電電極膜を備えることとなる。この透明導電電極膜としては、例えば、インジウム−スズ複合酸化物（ＩＴＯ），フッ素がドープされた酸化スズ（ＦＴＯ）、アンチモンがドープされた酸化スズ（ＡＴＯ）、酸化スズや酸化亜鉛等が用いられる。これらは単独でも２種以上を組み合わせて用いてもよい。なお、透明な支持基板そのものが、導電性プラスチックのように、導電性を有する材質からなるものであれば、透明導電電極膜を備える必要はなく、支持基板そのものを電極基板として用いることも可能である。
【００３８】
一方、金属酸化物皮膜を有する対向電極基板は、半透明な電極基板である。この基板自身は、ガラス上にフッソドープ酸化錫、酸化亜鉛、酸化インジウムや各種カーボン材料（グラファイト、グラフェン等）導電膜付きガラス基板や、電解液に腐食されない金属板（チタン、ニッケル、スチール等）が適用される。また、対向電極基板として、ポリアニリンやポリエチレンジオキシチオフェン（ＰＥＤＯＴ）等の導電性高分子を成膜した複合電極を用いてもよい。
【００３９】
金属酸化膜の厚みは、面内厚みの均一性が担保される厚みを考慮した場合、５０ｎｍ以上であることが好ましく、より好ましくは１００ｎｍ以上である。また、金属酸化膜は、一般に、電気炉等での焼成による大気圧酸化法や、硝酸等による化学酸化法、陽極酸化法等の公知の各種方法により形成される。なお、金属酸化膜の厚みの上限は、通常、１００００ｎｍである。
【００４０】
更に、電解液に接する対向電極基板の表面には、白金やルテニウム金属あるいは各種炭素材料（カーボンナノチューブやカーボンナノファイバー等）の極薄膜からなる触媒膜が形成されている。例えば、白金では、触媒能力と面内厚みの均一性が担保されることを考慮して５０ｎｍ以上であることが好ましく、より好ましくは１０ｎｍ以上であり、厚みに関して制約はない。これらの触媒層の成膜方法としては、一般に蒸着やスパッタ法が用いられるが、電気炉等での焼成による大気圧酸化法、硝酸等による化学酸化法、又は陽極酸化法などの公知の各種方法が適用される。
【００４１】
また、作用電極基板上の金属酸化物粒子からなる多孔質半導体膜は、導電性と十分な比表面積が確保できれば材料に特に制限されるものではないが、例えば、酸化チタン、酸化亜鉛、酸化錫、又はこれらの組み合わせからなる多孔質のｎ型金属酸化物半導体であることが好ましい。また、多孔質半導体膜を形成する半導体粒子は、粒状体、針状体、チューブ状体、又は柱状体等の線状体、もしくはこれら種々の線状体が集合してなるものが好適である。
【００４２】
多孔質半導体膜に吸着させる増感色素としては、例えば、光を吸収しかつ多孔質半導体膜に吸着する増感色素等が挙げられる。この増感色素の材料としては、例えば、ルテニウム錯体系、インドリン系、ポルフィリン系、フタロシアニン系，メロシアニン系，クマリン系等の有機色素の他、シリコン，砒化ガリウム，インジウムリン，カドミウムセレン，硫化カドミウム，ＣｕＩｎＳｅ等の無機系半導体や、酸化クロム，酸化鉄，酸化ニッケル等の無機顔料等があげられる。
【００４３】
両電極基板間の空隙に封入される電解質は、電解質を含有する液体のことであり、電解質と液体媒体とからなる。電解質としては、例えば、ヨウ素系の第４級アンモニウム塩、リチウム塩等があげられる。液体溶媒は、例えば、アセトニトリル、ブタノール、炭酸エチレン、メトキシプロピオニトリル等が組み合わされ、これにヨウ化テトラプロピルアンモニウム，ヨウ化リチウム，ヨウ素等を混合して電解質液が調製される。
【００４４】
この場合、電解質液としては、導電性粒子と溶媒とを少なくとも含む擬固体電解質であってもよい。なお、「擬固体」とは、固体の他、流動性はほとんど認められないが応力の印加により変形可能であるゲル状固形物或いは粘土状固形物を包含する概念を意味し、具体的には、静置して一定時間を放置した後に、自重による形状変化がないか又はその形状変化がわずかなものを意味する。擬固体電解質に含まれる導電性粒子としては、特に限定されないが、導電性炭素粒子（導電性炭素材料）が好ましく、その具体例としては、例えば、カーボンブラック、カーボンファイバー、カーボンナノチューブ、グラファイト、活性炭、フラーレン等が挙げられる。なお、これらは、各々を単独で用いても、複数を組み合わせて用いてもよい。
【００４５】
そして、各色素増感太陽電池７１の表面側に位置する作用電極基板には、商品ダミー体２〜５の販売温度に応じて暖色又は寒色のグラデーションによる加飾が直接的に施されている。この加飾は、作用電極基板の表面であっても裏面であってもよい。また、各色素増感太陽電池７１は、電力を蓄電する背面パネル用蓄電部としての中扉用蓄電部（図示せず）と、この中扉用蓄電部に設けられ、色素増感太陽電池７１の外部に電力の給電を行う背面パネル用外部端子としての一対の中扉用外部端子（図示せず）とを備えている。また、図４に示すように、色素増感太陽電池７１と中扉１３２との間には、主発光体としての有機又は無機のＥＬシート７４が介在している。このＥＬシート７４は、各中扉用外部端子に接続され、中扉用蓄電部に蓄電された電力により発光するようになっている。なお、各色素増感太陽電池７１は、太陽光及び街灯などの人工光によっても電力が生成される。
【００４６】
また、ダミー小缶２１ａ及びダミー大缶２２ａは、電力により発光する副発光体としてのＬＥＤランプ２６及びＥＬシート２７と、ＥＬシート２７を点滅させる回路基板２８とをダミー缶本体２３の内部に備えている。ダミー小缶２１ａ及びダミー大缶２２ａのダミー缶枠２４前面の開口２４１の左右両端には、一対のダミー缶用外部端子２５１，２５１（ダミー体用外部端子）が設けられ、この各ダミー缶用外部端子２５１にそれぞれＬＥＤランプ２６及び回路基板２８が接続されている。そして、両ダミー缶用外部端子２５１は、ダミー缶枠２４のインジェクション成形時に当該ダミー缶枠２４と一体的にインサート成形されている。この場合、両ダミー缶用外部端子２５１は、ダミー缶枠２４のインジェクション成形時に図２及び図３に示す実線位置で成形され、使用時に図２及び図３に示す二点鎖線位置まで折り曲げて使用される。
【００４７】
各ダミー缶用外部端子２５１は、各色素増感太陽電池７１の各中扉用外部端子に配線２９を介して接続され、各色素増感太陽電池７１で生成して中扉用蓄電部に蓄電された電力によって、ＬＥＤランプ２６を発光させている一方、ＥＬシート２７を回路基板２８により点滅させている。この場合、ダミー缶本体２３に水滴状の切欠を設け、この切欠に対応するダミー缶本体２３の裏面対応位置にＥＬシート２７を設けて、切欠のみをＥＬシート２７により点滅させる一方、ダミー缶本体２３のその他の部位（切欠と非対応な部位）をＬＥＤランプ２６により発光させていてもよい。また、ＬＥＤランプ２６及びＥＬシート２７のいずれか一方のみが副発光体として設けられていてもよい。
【００４８】
図５は飲料用自動販売機の展示室に収容されるダミー大ペットボトルの正面図、図６は図５のＡ−Ａ線における断面図をそれぞれ示している。
【００４９】
図４〜図６において、商品ダミー体３のうちの第１ダミー大ペットボトル３１ａ及び第１ダミー小ペットボトル３２ａは、パネル状のダミーペットボトル本体３３を備えている。また、第１ダミー大ペットボトル３１ａ及び第１ダミー小ペットボトル３２ａは、ダミーペットボトル本体３３を保持するダミーペットボトル枠３４を備えている。
【００５０】
ダミーペットボトル枠３４は、略矩形状を呈し、合成樹脂材を用いてインジェクション成形されている。ダミーペットボトル本体３３は、その突出部分３０１（後述する）に設けられた係合部（図示せず）によりダミーペットボトル枠３４に対し係合されて保持されている。なお、ダミーペットボトル枠３４に使用される合成樹脂材としては、前記ダミー缶枠２４と同じものが挙げられる。
【００５１】
一方、第２，第３ダミー大ペットボトル３１ｂ，３１ｃ及び第２ダミー小ペットボトル３２ｂは、ダミーペットボトル枠３４を備えてはおらず、パネル状のダミーペットボトル本体３３のみで構成されている。
【００５２】
第１〜第３ダミー大ペットボトル３１ａ〜３１ｃ及び第１，第２ダミー小ペットボトル３２ａ，３２ｂのダミーペットボトル本体３３は、それぞれに該当する商品の略前半分の形状をしている。すなわち、このダミーペットボトル本体３３は、例えば、ポリカーボネイト、ポリエチレンテレフタレート等またはそれらの再生品など、耐熱性、耐候性に優れた素材からなる。そして、ダミーペットボトル本体３３は、真空成形または圧空成形とトムソン法やプレス法による打ち抜きとによって成形され、トムソン法やプレス法による打ち抜きを行う際に、ダミーペットボトル本体３３の周縁に外方（ダミーペットボトル本体３３を立てたときの上下左右方向外側）に向かって延びる突出部分３０１が形成されている。このとき、第１ダミー大ペットボトル３１ａのダミーペットボトル本体３３の突出部分３０１には、図示しない係合部が設けられ、この係合部によって、ダミーペットボトル本体３３がダミーペットボトル枠３４に保持されるようになっている。
【００５３】
そして、ダミーペットボトル本体３３には、商品と略同じ内容の加飾がスクリーン印刷やオフセット印刷により施されている。これらの印刷による加飾は、ダミーペットボトル本体３３の表面であっても裏面であってもよい。
【００５４】
また、第１ダミー大ペットボトル３１ａのダミーペットボトル本体３３の少なくとも一部としての上部における左右両側の突出部分３０１には、気泡の模様を表す複数の開口孔３０２が穿たれている。なお、開口孔３０２に代えて、ダミーペットボトル本体の突出部分に気泡の模様や商品ダミー体に適したロゴなどが印刷されていてもよい。
【００５５】
更に、第１〜第３ダミー大ペットボトル３１ａ〜３１ｃ及び各ダミー小ペットボトル３２ａは、ダミーペットボトル本体３３の内部に電力により発光する作動手段としての有機又は無機のＥＬシート３７（副発光体）を備えている。このＥＬシート３７は、ダミーペットボトル本体３３の裏側に設けられ、その周縁が突出部分３０１の裏面に取り付けられている。また、図４に示すように、第１ダミー小ペットボトル３２ａのＥＬシート３７は、ダミーペットボトル枠３４の表面上部にのみ取り付けられている。なお、第２ダミー小ペットボトル３２ｂのＥＬシート３７は、ダミーペットボトル本体３３の裏側上部にのみ設けられる。
【００５６】
また、第１〜第３ダミー大ペットボトル３１ａ〜３１ｃ及び第１，第２ダミー小ペットボトル３２ａ，３２ｂには、当該各ダミー大ペットボトル３１ａ〜３１ｃ及び第１，第２ダミー小ペットボトル３２ａに対して電力の給電を行うダミー体用外部端子としての一対のダミーペットボトル用外部端子（図示せず）を備えている。この両ダミーペットボトル用外部端子は、他の各ダミー大ペットボトル３１ａ〜３１ｃ及び各ダミー小ペットボトル３２ａ，３２ｂのダミーペットボトル用外部端子同士とそれぞれ配線を介して接続されている。また、両ダミーペットボトル用外部端子は、各色素増感太陽電池７１の中扉用蓄電部の中扉用外部端子に配線を介して接続されている。そして、各色素増感太陽電池７１の中扉用蓄電部で蓄電した電力によって、第１〜第３ダミー大ペットボトル３１ａ〜３１ｃ及び各ダミー小ペットボトル３２ａ，３２ｂのＥＬシート３７を点灯させている。
【００５７】
図７は第２ダミー大ペットボトル３１ｂを取り付ける直前の上段のディスプレイ１３３ａ台の開口孔１３３ｄ付近の斜視図、図８は図７の第３ダミー大ペットボトル３１ｃを取り付ける途中の斜視図をそれぞれ示している。
【００５８】
図７及び図８に示すように、第２ダミー大ペットボトル３１ｂ（同一構成となるので、第１，第３ダミー大ペットボトル３１ａ，３１ｃ及び各ダミー小ペットボトル３２ａ，３２ｂについてはその詳細な説明は省略する）のダミーペットボトル本体３３の下端には、下方へ突出する略半円形状の突出部３９が設けられている。突出部３９は、その周縁の両端近傍で下端部に突起部３９４，３９４を有し、周縁の中央部分の下端部に２つの突起３９５，３９５が隙間を存して設けられている。また、各突起３９５の隙間、及び各突起３９５と各突起部３９４との間には、側面視で三角形の挟持用突起３９６，３９７が突設されている。そして、ダミーペットボトル本体３３は、突出部３９の周面部分が突起３９５と挟持用突起３９６との間に挿入されるように差し込み、突出部３９の近傍部分を弾性変形させて突起部３９４を上段及び中段のディスプレイ台１３３ａ，１３３ｂの開口孔１３３ｄの周縁部分を潜らせてから、突出部３９を弾性復帰させることで取り付けられる。
【００５９】
図９は飲料用自動販売機１の展示室１４に収容される第３ダミー大ペットボトル３１ｃの正面図、図１０は図９の第３ダミー大ペットボトル３１ｃが取り付けられる上段のディスプレイ台の開口孔付近の平面図をそれぞれ示している。
【００６０】
図９及び図１０に示すように、第３ダミー大ペットボトル３１ｃは、当該第３ダミー大ペットボトル３１ｃの商品に適したロゴや模様を表記した表示板６５を備えている。第３ダミー大ペットボトル３１ｃは、その一部分としての表示板６５を電力により作動させる作動手段６６を備えている。この作動手段６６は、表示板６５の中央部より下方に垂下するロッド６６１と、駆動部としてのモータ６６２とを備えている。ロッド６６１の下端は、モータ６６２の出力軸に回転一体に連結されている。モータ６６２は、上段のディスプレイ台１３３ａの開口孔１３３ｄの中扉１３２側周縁にクリップされたクリップ体６６６の上面に取り付けられている。また、モータ６６２は、第３ダミー大ペットボトル３１ｃの両ダミー缶用外部端子に配線を介して接続されている。そして、モータ６６２は各色素増感太陽電池７１の中扉用蓄電部から給電される電力により回転し、表示板６５をロッド６６１回りに回転させるようにしている。
【００６１】
また、飲料用自動販売機１の本体キャビネット１１の天面には、シリコン系太陽電池７２が取り付けられている。このシリコン系太陽電池７２は、当該シリコン系太陽電池７２で生成した電力を蓄電するシリコン系太陽電池用蓄電部としての天面用蓄電部（図示せず）と、この天面用蓄電部に設けられ、シリコン系太陽電池７２の外部に電力の給電を行う一対の天面用外部端子（図示せず）とを備えている。そして、両天面用外部端子は、各ダミー小缶２１ａ及び各ダミー大缶２２ａのダミー缶用外部端子２５１並びに第１〜第３ダミー大ペットボトル３１ａ〜３１ｃ及び第１，第２ダミー小ペットボトル３２ａ，３２ｂのダミーペットボトル用外部端子とそれぞれ配線を介して接続され、当該各ダミー小缶２１ａ及び各ダミー大缶２２ａ並びに第１〜第３ダミー大ペットボトル３１ａ〜３１ｃ及び第１，第２ダミー小ペットボトル３２ａ，３２ｂに対し電力の給電が行えるようにしている。
【００６２】
したがって、本実施の形態では、商品ダミー体２〜５の販売温度に応じて暖色又は寒色のグラデーションによる加飾が表面側の基板に直接的に施されたシート状の色素増感太陽電池７１を展示室１４の中扉１３２に取り付け、この色素増感太陽電池７１で生成した電力を蓄電する中扉用蓄電地の中扉用外部端子に対し、各ダミー小缶２１ａ及び各ダミー大缶２２ａのダミー缶用外部端子２５１並びに第１〜第３ダミー大ペットボトル３１ａ〜３１ｃ及び第１，第２ダミー小ペットボトル３２ａ，３２ｂのダミーペットボトル用外部端子がそれぞれ配線を介して接続されているので、展示室１４内の各商品ダミー体２，３のＬＥＤランプ２６の点灯やＥＬシート２７の点滅により各商品ダミー体２，３を鮮やかに表現したり、第３ダミー大ペットボトル３１ｃの表示板６５をモータ６６２によりロッド６６１回りに回転させたりすることが、色素増感太陽電池７１の電力により行え、色素増感太陽電池７１の利点を有効に利用して飲料用自動販売機１の省電力化及び広告の多様化を図ることができる。
【００６３】
また、色素増感太陽電池７１と展示室１４の中扉１３２との間に介設したＥＬシート７４が中扉用外部端子に対し配線を介して接続されているので、表面に商品ダミー体２〜５の販売温度に応じて暖色又は寒色のグラデーションによる加飾が施された色素増感太陽電池７１をＥＬシート７４により発光させて、展示室１４を効果的に目立たせることができる。
【００６４】
また、飲料用自動販売機１の本体キャビネット１１の天面に設けたシリコン系太陽電池７２の天面用蓄電部の天面用外部端子を各商品ダミー体２，３のダミー缶用外部端子２５１及びダミーペットボトル用外部端子に配線を介して接続し、シリコン系太陽電池７２で蓄電した電力もダミー缶用外部端子２５１及びダミーペットボトル用外部端子に給電されるので、中扉用蓄電地からの電力が不足するといった事態に陥ったとしても、天面用蓄電部で蓄電した電力を各商品ダミー体２，３のＬＥＤランプ２６、ＥＬシート２７，７４、及びモータ６６２に給電して当該ＬＥＤランプ２６及びＥＬシート２７，７４を点灯、点滅させたり、モータ６６２を駆動させることもできる。
【００６５】
なお、本発明は、前記実施の形態に限定されるものではなく、その多種種の変形例を包含している。例えば、前記実施の形態では、各ダミー大缶２２ａ及び各ダミーボトル４１ａの直上方に対応する中扉１３２の上側対応位置と、ダミー小缶２１ａ及びダミー小ペットボトル３２ａ，３２ｂの直上方と上段のディスプレイ台１３３ａの直下方との間に対応する中扉１３２の中央対応位置とに色素増感太陽電池７１を取り付けたが、図１１及び図１２に示すように、中扉１３２の上側対応位置の色素増感太陽電池７１が、上段のディスプレイ台１３３ａの直上方と展示室１４の上端との間に亘る広域、中段のディスプレイ台１３３ｂの直上方と上段のディスプレイ台１３３ａの直下方との間に亘る広域にそれぞれ設けられていてもよい。この場合には、上段及び中段のディスプレイ台１３３ａ，１３３ｂに取り付けられるダミー体２〜５の高さに応じて各色素増感太陽電池７１の上下幅を変更する必要がなく、どのような高さの商品ダミー体２〜５にも適用可能である。
また、ディスプレイ台に取り付けられる商品ダミー体の光の透過率を配慮して、ダミー缶体が主体に取り付けられるディスプレイ台側の色素増感太陽電池の上下幅を縮小してダミー缶体の直上方に設ける一方、ダミーペットボトル本体が主体に取り付けられるディスプレイ台側の色素増感太陽電池の上下幅を拡張して広域に設けられていてもよい。更に、展示室の背面全領域に亘って色素増感太陽電池が取り付けられていてもよく、その場合には、発電効率の高い色素増感太陽電池からの電力を、展示室内や商品ダミー体を上下双方又は左右両側方から照らす蛍光灯にも給電するようにしてもよい。
【００６６】
また、前記実施の形態では、本体キャビネット１１の庫内に缶飲料やペットボトルなどを格納する飲料用自動販売機１に適用した場合について述べたが、図１３に示すように、本体キャビネット１１の庫内にたばこを格納するたばこ用自動販売機９にも適用できるのはいうまでもない。この場合、たばこ用自動販売機９の展示室９０を透明板１３１（図１３では二点鎖線で示す）と中扉１３２との間に画成し、この展示室９０に各種商品ダミー体９１，９１，…が収容されているとともに、各段のディスプレイ台１３３ａ〜１３３ｃ上の各種商品ダミー体９１の上部空間に色素増感太陽電池７１，７１，…が取り付けられている。更に、外扉１３の前面にも、飲料用自動販売機１と同様に、広告表示部８、紙幣投入口１５、硬貨投入口１６、商品取出口１８、及び釣銭返却口１９が設けられる。
【００６７】
また、前記実施の形態では、各ダミー小缶２１ａ及び各ダミー大缶２２ａのダミー缶枠２４下端に突出部２４２を設けたり、各ダミー大ペットボトル３１ａ〜３１ｃ及び各ダミー小ペットボトル３２ａ，３２ｂのダミーペットボトル本体３３下端に突出部３９を設けたりしたが、図１４に示すように、商品と略一致するロゴや模様の印刷により加飾が施されたパネル状のダミー外殻９２１と、このダミー外殻９２１の裏面に取り付けられたシート状の色素増感太陽電池９２２と、この色素増感太陽電池９２２の裏面に取り付けられた副発光体としてのシート状の有機又は無機のＥＬシート９２３とにより一体的な積層体状のダミー本体９２を構成し、このダミー本体９２を支持する略Ｌ字状の支持台９３を備え、この支持台９３を、ダミー本体９２を上方からスライドさせて脱着自在に保持する保持枠９３１を左右両側部に有する案内片９３２と、この案内片９３２の下端より略水平に後方へ延びる装着片９３３とで構成し、その装着片９３３の下端に、展示室１４のディスプレイ台１３３ａ〜１３３ｃに脱着自在に装着される装着部としての突出部２４２を下方に突設させていてもよい。この場合、装着片９３３の上面にはダミー体用蓄電部９３４が取り付けられ、このダミー体用蓄電部９３４に色素増感太陽電池７１，９２２で生成した電力を蓄電して、ＥＬシート９２３へ給電されるようにしている。
また、図１５に示すように、商品の略前半分の形状をしたダミーペットボトル本体３３と、このダミーペットボトル本体３３の突出部分３０１の裏面に取り付けられた副発光体としてのシート状の有機又は無機のＥＬシート９４１とにより一体的な積層体状のダミー本体９４を構成し、このダミー本体９４を支持する略Ｌ字状の支持台９５を備え、この支持台９５を、ダミー本体９４を上方からスライドさせて脱着自在に保持する保持枠９５１を左右両側部に有する案内片９５２と、この案内片９５２の下端より略水平に後方へ延びる装着片９５３とで構成し、その装着片９５３の下端に、突出部２４２を下方に突設させていてもよい。この場合、装着片９５３の上面にはダミー体用蓄電部９５４が取り付けられ、このダミー体用蓄電部９５４に色素増感太陽電池７１で生成した電力を蓄電して、ＥＬシート９４１へ給電されるようにしている。
そして、図１６に示すように、ダミー本体９２，９４は、展示室１４のディスプレイ台１３３ａ〜１３３ｃに突出部２４２を差し込んで支持台９３，９５を装着した状態で案内片９３２，９５２の保持枠９３１，９５１に上方からスライドさせて保持され、ダミー本体９２，９４の交換作業を簡単に行えることになる。なお、ダミー本体９２，９４の積層体構造はこれに限らず、ダミー外殻又はダミーペットボトル本体が単体で構成されていてもよく、その場合には、展示室の各色素増感太陽電池と中扉との間にＥＬシートを介設させる必要がある。
【００６８】
また、前記実施の形態及び変形例では、有機又は無機のＥＬシート２７，３７，７４，９２３，９４１を用いたが、ＬＥＤシート、又は端縁から光を照射して発光するアクリルなどからなる透明の導光板が副発光体として用いられていてもよい。
更に、複数種類のシート状の副発光体を組み合わせて用いられていてもよい。その一例としては、図１７〜図１９に示すように、突出部２４２を下方に突設させた基台９６上に、下端縁からＬＥＤランプ９７１の光を照射して発光するアクリル製の透明な導光板９７（副発光体）を立設し、この導光板９７の表面に商品の略前半分の形状をしたダミーペットボトル本体３３を取り付ける。そして、このダミーペットボトル本体３３の上部及びその左右両側の突出部分３０１に対応する導光板９７の裏面の上部位置にシート状のＬＥＤパネル９８を取り付け、展示室１４の色素増感太陽電池７１で生成した電力を基台９６上の蓄電部９６１で蓄電し、この蓄電部９６１で蓄電した電力をＬＥＤランプ９７１に給電して当該ＬＥＤランプ９７１を発光させてダミーペットボトル本体３３の全域を導光板９７により照射するとともに、ＬＥＤパネル９８に点滅回路基板（図示せず）を介して給電し、ダミーペットボトル本体３３の上部における左右両側の突出部分３０１に穿たれた気泡の模様を表す複数の開口孔３０２や印刷した模様及び商品ダミー体に適したロゴなどをＬＥＤパネル９８の点滅により表現するようにしてもよい。
【００６９】
また、前記実施の形態では、各色素増感太陽電池７１と中扉１３２との間にＥＬシート７４を介設したが、ＥＬシートを介設せずに各色素増感太陽電池が中扉に直接取り付けられていてもよい。
【００７０】
また、前記実施の形態では、本体キャビネット１１の天面にシリコン系太陽電池７２を取り付けたが、本体キャビネットの側方に光が入射可能な空間がある場合には、当該空間に隣接する本体キャビネットの側面にもシリコン系太陽電池が取り付けられていてもよい。
【００７１】
また、前記実施の形態では、有機系太陽電池としてそれぞれ色素増感太陽電池を用いたが、色素増感太陽電池に代えて有機薄膜太陽電池がそれぞれ適用されていてもよい。
【００７２】
また、前記実施の形態では、色素増感太陽電池７１で生成した電力を各商品ダミー体２，３に給電したが、色素増感太陽電池で生成した電力を展示室に収容される各ダミーボトルや各ダミー極小缶にも給電し、当該各ダミーボトルや各ダミー極小缶も発光させたり、その少なくとも一部を駆動させるようにしてもよい。
【００７３】
更に、ダミー缶用外部端子２５１がダミー缶枠２４と一体的にインサート成形されているので、ダミー缶枠２４に対しダミー缶用外部端子２５１を後付けで取り付ける必要がなく、ダミー缶用外部端子２５１の取付作業を廃止することができる。
【産業上の利用可能性】
【００７４】
本発明に係る色素増感太陽電池は、展示室の背面パネルに取り付けられて発電することで、自動販売機の変更を最小限に押さえつつ省電力化及び広告の多様化を図る効果があり、あらゆる自動販売機に用いると有用である。
【符号の説明】
【００７５】
１        飲料用自動販売機
１３２    中扉（展示室の背面パネル）
１３３ａ〜１３３ｃ
ディスプレイ台
１４      展示室
２〜５    商品ダミー体
２３      ダミー缶本体（ダミー本体）
２４２    突出部（装着部）
２６      ＬＥＤランプ（作動手段、副発光体）
２７      ＥＬシート（作動手段、副発光体）
２９      配線
３３      ダミーペットボトル本体（ダミー本体）
３７      ＥＬシート（作動手段、副発光体）
６５      表示板（商品ダミー体の少なくとも一部分）
６６      作動手段
６６２    モータ（駆動部）
７１      色素増感太陽電池（有機系太陽電池）
７２      シリコン系太陽電池
７４      ＥＬシート（主発光体）
９２      ダミー本体
９２１    ダミー外殻
９２２    色素増感太陽電池
９２３    ＥＬシート（副発光体）
９３１    保持枠
９４      ダミー本体
９４１    ＥＬシート（副発光体）
９５１    保持枠
【図１】
0005514853.tif 000002
【図２】
0005514853.tif 000003
【図３】
0005514853.tif 000004
【図４】
0005514853.tif 000005
【図５】
0005514853.tif 000006
【図６】
0005514853.tif 000007
【図７】
0005514853.tif 000008
【図８】
0005514853.tif 000009
【図９】
0005514853.tif 000010
【図１０】
0005514853.tif 000011
【図１１】
0005514853.tif 000012
【図１２】
0005514853.tif 000013
【図１３】
0005514853.tif 000014
【図１４】
0005514853.tif 000015
【図１５】
0005514853.tif 000016
【図１６】
0005514853.tif 000017
【図１７】
0005514853.tif 000018
【図１８】
0005514853.tif 000019
【図１９】
0005514853.tif 000020